(57)【要約】      （修正有）【課題】搬送性、取扱性に優れる展示用パネルを提供する。【解決手段】展示用パネル１は、展示物Ｐを貼り付け可能なパネル本体１０と、パネル本体１０を複数のパネル面１０ａ，１０ｂ，１０ｃ毎に折り曲げて当該パネル本体１０を折り畳むための折り目部１１，１２と、パネル本体１０の端部に設けられ当該パネル本体１０を把持するための開口部２０と、パネル本体１０を折り畳んだ状態でこれを両側から固定する粘着テープで構成されている。【選択図】図１
2016218336.tif 000002
【特許請求の範囲】
【請求項１】
展示物を貼り付け可能なパネル本体と、
前記パネル本体を複数のパネル面毎に折り曲げて当該パネル本体を折り畳むための折り目部と、
前記パネル本体の端部に設けられ、当該パネル本体を把持するための開口部と、
前記パネル本体が展開しないように、前記折り目部に沿って折り畳まれたパネル面同士を固定する固定部材と、
を有することを特徴とする展示用パネル。
【請求項２】
前記折り目部は、折り畳まれた各パネル面により展示物が覆い隠されるように折り曲げ方向が設定されることを特徴とする請求項１に記載された展示用パネル。
【請求項３】
前記固定部材は、前記パネル本体を折り畳んだ状態でこれを両側から固定する粘着テープであることを特徴とする請求項１又は２に記載された展示用パネル。
【請求項４】
前記固定部材は、前記パネル本体を折り畳んだ状態において、互いに対向するパネル面同士に設けた一対の面ファスナーで構成されることを特徴とする請求項１又は２に記載された展示用パネル。
【請求項５】
前記開口部の周縁領域に装着されて当該開口部周囲のパネル本体を補強するため、且つ保持する手の疾病防止のためのカバー部材をさらに備えることを特徴とする請求項１から４のいずれかに記載された展示用パネル。
【請求項６】
前記複数のパネル面のそれぞれには、前記パネル本体が折り畳まれた際に互いの位置が対応するように設定された貫通孔が形成されており、
前記パネル本体が折り畳まれた状態で前記貫通孔のそれぞれにロック用の錠を挿通させることで、前記パネル本体の展開を規制することを特徴とする請求項１から５のいずれかに記載された展示用パネル。
【請求項７】
前記折り目部と直交するように前記パネル本体の側辺部に装着されて、当該パネル本体を厚み方向に沿って両側から挟持するレール状のクリップ部材をさらに有することを特徴とする請求項１から６のいずれかに記載された展示用パネル。
【請求項８】
前記パネル本体の側辺部に沿って形成される直線状の溝部と、
前記溝部と、前記クリップ部材とを相互に結合する結合部材と、をさらに有し、
前記クリップ部材は、前記溝部によって案内されながら、前記パネル本体の側辺部をスライド可能に構成されることを特徴とする請求項７に記載された展示用パネル。
【発明の詳細な説明】
【技術分野】
【０００１】
本発明は、展示用パネルに関する。
【背景技術】
【０００２】
資料等の展示物をホワイトボードや壁面などに掲示して、商品などの企画や説明を行うプレゼンテーションが知られている。このようなプレゼンテーションにおいては、そのプレゼンテーション場所まで各種の展示物を持ち運んだり、それらの展示物を掲示場所にそれぞれ貼り付けたりするといった手間が必要となる。
【０００３】
そのため、従来より、展示物を貼り付けて利用する平板状の展示用パネルが知られている。この展示用パネルによれば、展示物を予め貼り付けておけば、その展示用パネル自体を持ち運ぶことで各展示物の搬送が可能となり、また、個別の展示物の掲示作業を行うことなく当該展示用パネルを掲示場所に設置するのみで足り、展示物の搬送性や取扱性が簡便となるというメリットを有している。展示用パネルをなすパネル本体は、例えばプラスチックダンボールであり、市販品の規格寸法（例えば１８２０ｍｍ×９１０ｍｍ）のものがそのまま用いられる。
【０００４】
なお、例えば特許文献１には、展示用の写真やポスター等を貼着して掲示する展示パネルが開示されている。
【先行技術文献】
【特許文献】
【０００５】
【特許文献１】特開２００８−１９１３４５号公報
【発明の概要】
【発明が解決しようとする課題】
【０００６】
しかしながら、展示用パネルはそれ相応の大きさを有する平板であることから、車両を用いて搬送するにしても荷室の大きな車両が必要となる。また、市販のプラスチックダンボールに特段の加工等を施すことなくそのまま利用しているため、搬送時にはこれを両手で抱えて運ぶ必要がある。そのため、持ち運びには大変な苦労を要し、１人で数多くの展示用パネルを持ち運ぶことが困難であったり、足もとが見え難かったりするという問題がある。また、パネルに貼られる資料は機密の情報である場合が多く、資料が露わになったり、搬送中に剥がれて紛失するという問題も存在する。
【０００７】
本発明はかかる事情に鑑みてなされたものであり、その目的は、搬送性、取扱性に優れる展示用パネルを提供することである。
【課題を解決するための手段】
【０００８】
かかる課題を解決するために、本発明は、展示物を貼り付け可能なパネル本体と、パネル本体を複数のパネル面毎に折り曲げて当該パネル本体を折り畳むための折り目部と、パネル本体の端部に設けられ、当該パネル本体を把持するための開口部と、パネル本体が展開しないように、折り目部に沿って折り畳まれたパネル面同士を固定する固定部材と、を有する展示用パネルを提供する。
【０００９】
ここで、本発明において、折り目部は、折り畳まれた各パネル面により展示物が覆い隠されるように折り曲げ方向が設定されることが好ましい。
【００１０】
また、本発明において、固定部材は、パネル本体を折り畳んだ状態でこれを両側から固定する粘着テープであることが好ましい。
【００１１】
また、本発明において、固定部材は、パネル本体を折り畳んだ状態において、互いに対向するパネル面同士に設けた一対の面ファスナーで構成されることが好ましい。
【００１２】
また、本発明は、開口部の周縁領域に装着されて当該開口部周囲のパネル本体を補強するため、且つ保持する手の疾病防止のためのカバー部材をさらに備えることが好ましい。
【００１３】
また、本発明において、複数のパネル面のそれぞれには、当該パネル本体が折り畳まれた際に互いの位置が対応するように設定された貫通孔が形成されており、パネル本体が折り畳まれた状態で貫通孔のそれぞれにロック用の錠を挿通させることで、パネル本体の展開を規制することが好ましい。
【００１４】
また、本発明は、折り目部と直交するようにパネル本体の側辺部に装着されて、当該パネル本体を厚み方向に沿って両側から挟持するレール状のクリップ部材をさらに有することが好ましい。
【００１５】
また、本発明は、パネル本体の側辺部に沿って形成される直線状の溝部と、溝部と、クリップ部材とを相互に結合する結合部材と、を有し、クリップ部材は、溝部によって案内されながら、パネル本体の側辺部をスライド可能に構成されることが好ましい。
【発明の効果】
【００１６】
本発明によれば、搬送性、取扱性に優れる展示用パネルを提供することができる。
【図面の簡単な説明】
【００１７】
【図１】第１の実施形態に係る展示用パネルの構成を模式的に示す説明図
【図２】図１に示す展示用パネルの収納状態を模式的に示す説明図
【図３】第２の実施形態に係る展示用パネルの構成を模式的に示す説明図
【図４】図３に示す展示用パネルの収納状態を模式的に示す説明図
【図５】第３の実施形態に係る展示用パネルの構成を模式的に示す説明図
【図６】第４の実施形態に係る展示用パネルの構成を模式的に示す説明図
【図７】第５の実施形態に係る展示用パネルの収納状態を模式的に示す説明図
【図８】展示用パネルの別の使用形態を示す説明図
【図９】第５の実施形態に係る展示用パネルの要部を模式的に示す説明図
【図１０】図９に示すレール状のクリップ部材の構成を示す斜視図
【図１１】第５の実施形態に係る展示用パネルの変形例を示す説明図
【発明を実施するための形態】
【００１８】
（第１の実施形態）
図１は、第１の実施形態に係る展示用パネル１の構成を模式的に示す説明図である。この展示用パネル１は、プレゼンテーション用の資料等の展示物を貼り付けることで、当該展示物を簡易に搬送・掲示するためのパネルである。この展示用パネル１は、パネル本体１０と、折り目部１１，１２と、開口部２０とで構成されている。なお、以下の説明では、図中の左右方向及び上下方向と対応付けて展示用パネル１の各方向を定義するが、展示用パネル１の使用をする際の向きがこれらの方向に制限されるものではない（後述する実施形態においても同じ）。
【００１９】
パネル本体１０は、例えばプラスチックダンボールで構成されており、左右方向の寸法Ａ１が上下方向の寸法Ｂ１よりも大きい横長矩形状となる平板状の基材である。パネル本体１０は、市販されるプラスチックダンボールを利用することが可能であり、例えば規格寸法である１８２０ｍｍ（Ａ１）×９１０ｍｍ（Ｂ１）の大きさを有している。
【００２０】
パネル本体１０には、例えば粘着テープ等を利用することで展示物を貼り付けることができる。パネル本体１０の表面側（図１中に表されている面側）が、展示物Ｐの貼り付け面として機能している。
【００２１】
折り目部１１，１２は、パネル本体１０を複数のパネル面毎に折り曲げて当該パネル本体１０を折り畳むためのものである。本実施形態では、折り目部１１，１２は、パネル本体１０の上下方向に沿って形成されており、パネル本体１０を３つのパネル面１０ａ，１０ｂ，１０ｃに分けるように所要の位置に設定されている。
【００２２】
折り目部１１は、右側に位置付けられるパネル面１０ａと中央に位置付けられるパネル面１０ｂとの間に配置されており、折り目部１１によりパネル面１０ａとパネル面１０ｂとの間でパネル本体１０を折り曲げることができる。同様に、折り目部１２は、中央に位置付けられるパネル面１０ｂと左側に位置付けられるパネル面１０ｃとの間に配置されており、当該折り目部１２によりパネル面１０ｂとパネル面１０ｃとの間でパネル本体１０を折り曲げることができる。
【００２３】
ここで、各折り目部１１，１２の位置は、各パネル面１０ａ，１０ｂ，１０ｃの面積が以下の関係を満たすように設定されている。具体的には、パネル面１０ｂの面積はパネル面１０ａの面積よりも大きく、また、パネル面１０ｃの面積はパネル面１０ｂの面積よりも小さくなる。後述するように、展示用パネル１の収納時には、折り目部１１を谷折りし、その次に折り目部１２を谷折りして、各パネル面１０ａ，１０ｂ，１０ｃを内側に順次折り畳むこととしている。そのため、折り曲げ順序が早いパネル面１０ａ，１０ｂ，１０ｃほど、その面積を小さく設定しておくことで、他のパネル面１０ａ，１０ｂ，１０ｃと干渉することなく折り目部１１，１２に沿って綺麗に折り畳みを行うことができる。
【００２４】
折り目部１１，１２は、加熱成形や、表面を切断処理することで形成することができる。折り目部１１，１２は、パネル本体１０の表面側からみて谷折りとなるように形成されており、折り畳まれたパネル面１０ａ，１０ｂ，１０ｃにより展示物Ｐが覆い隠されるように折り曲げ方向が設定されている。
【００２５】
開口部２０は、パネル本体１０の端部、具体的には、パネル面１０ｃに設けられている。この開口部２０は、パネル本体１０を把持するために形成された開口であり、パネル面１０ｃの左端に形成されている。上述したようにパネル面１０ｃは、パネル面１０ａ，１０ｂよりも大きな面積に設定されており、パネル本体１０が折り畳まれた場合であっても他のパネル面１０ａ，１０ｂにより開口部２０が覆い隠されることのないように工夫されている。
【００２６】
以下、このような構成の展示用パネル１についての各種の使用状態を説明する。パネル本体１０の各パネル面１０ａ，１０ｂ，１０ｃには、プレゼンテーション用の資料等の展示物Ｐが貼り付けられている。
【００２７】
まず、展示物Ｐを掲示する場合には、図１に示すように、各パネル面１０ａ，１０ｂ，１０ｃを展開した状態で、パネル本体１０を壁面やホワイトボードなどに立てかけたり、固定したりすることにより行われる。
【００２８】
図２は、図１に示す展示用パネル１の収納状態を模式的に示す説明図である。一方、展示用パネル１を収納する際には、折り目部１１にて谷折りすることで、パネル面１０ａがパネル面１０ｂに重なるように折り畳まれ、パネル面１０ａの表面とパネル面１０ｂの表面とが互いに向き合う格好となる。つぎに、折り目部１２にて谷折りすることで、パネル面１０ａ，１０ｂがパネル面１０ｃに重なるように折り畳まれ、パネル面１０ａの裏面とパネル面１０ｃの表面とが互いに向き合う格好となる。このようにして、パネル本体１０が三段階に折り畳まれる。この場合、パネル本体１０の左右方向の寸法は、展開時の寸法Ａ１の１／３程度の寸法Ａ２（例えば７４０ｍｍ）となる。
【００２９】
そして、この折り畳み状態を保持するため、折り畳んだ状態のパネル本体１０を両側から粘着テープ３０にて固定する。これにより、各パネル面１０ａ，１０ｂ，１０ｃが折り重なった状態で一体化されるので、パネル本体１０が意図することなく展開することを抑制することができる。すなわち、この粘着テープ３０は、パネル本体１０が展開しないように、折り目部１１，１２に沿って折り畳まれたパネル面１０ａ，１０ｂ，１０ｃ同士を固定する固定部材として機能する。
【００３０】
また、このような収納状態が完成し、これを搬送する場合には、開口部２０を把持する。これにより、展示用パネル１を片手で保持し、当該展示用パネル１を運搬することができる。
【００３１】
このように本実施形態によれば、展示用パネル１は、展示物Ｐを貼り付け可能なパネル本体１０と、パネル本体１０を複数のパネル面１０ａ，１０ｂ，１０ｃ毎に折り曲げて当該パネル本体１０を折り畳むための折り目部１１，１２と、パネル本体１０の端部に設けられ当該パネル本体１０を把持するための開口部２０と、パネル本体１０を折り畳んだ状態でこれを両側から固定する粘着テープ３０で構成されている。
【００３２】
この構成によれば、折り目部１１，１２に沿ってパネル本体１０を折り畳むことで、展示用パネル１をコンパクトに収納することができる。これにより、車両を用いて搬送する際にもコンパクトなスペースに収納することができるので、小型の車両でも対応可能となる。また、把持するための開口部２０を備えているため、展示用パネル１を使用者が片手で持ち運びをすることができるので、容易に搬送を行うことができる。さらに、展示用パネル１を簡単に保持することができるので、一度に大量の展示用パネル１を搬送することができる。これにより、搬送性、取扱性に優れる展示用パネル１を提供することができる。
【００３３】
また、本実施形態において、折り目部１１，１２は、折り畳まれたパネル面１０ａ，１０ｂ，１０ｃにより展示物Ｐが覆い隠されるように折り曲げ方向が設定されている。
【００３４】
展示物Ｐを平板状のパネルに貼り付けただけの場合には、展示物Ｐの内容が外部に露わになったり、展示物Ｐに汚れや剥がれ、破れ等が生じたりする。この点本実施形態によれば、各パネル面１０ａ，１０ｂ，１０ｃが折り畳まれることで展示物Ｐが内側に覆い隠されることとなる。これにより、展示物Ｐの内容が外部に露わになったり、展示物に汚れや剥がれ、破れ等が生じたりすることを抑制することができる。
【００３５】
（第２の実施形態）
図３は、第２の実施形態に係る展示用パネル１の構成を模式的に示す説明図である。図４は、図３に示す展示用パネル１の収納状態を模式的に示す説明図である。第２の実施形態に係る展示用パネル１が第１の実施形態のそれと相違する点は、折り目部１１，１２に沿って折り畳まれたパネル面１０ａ，１０ｂ，１０ｃ同士を固定する手法である。なお、第１の実施形態と共通する構成については説明を省略し、以下、相違点を中心に説明を行う。
【００３６】
本実施形態において、パネル面１０ｃの表面側には、上下方向に離間した位置に一組の面ファスナー３１が貼着されている。面ファスナー３１は、上下方向に縦長となる矩形状に設定されている。また、パネル面１０ａの裏面側には、上下方向に離間した位置に一組の面ファスナー３２が貼着されている。面ファスナー３２は、左右方向に横長となる矩形状に設定されている。一方の面ファスナー３１と他方の面ファスナー３２とは、パネル本体１０を三段階に折り畳んだ際に、その位置が互いに対応するように各パネル面１０ａ，１０ｃに配設されている。
【００３７】
第１の実施形態に述べたように、パネル本体１０を三段階に折り畳んだ際には、パネル面１０ａの裏面とパネル面１０ｃの表面とが互いに向き合う格好となる。このため、図４の破線の箇所に示すように、各パネル面１０ａ，１０ｃに貼着された一対の面ファスナー３１，３２が相互に結合し、パネル本体１０が展開しないように固定することができる。
【００３８】
第１の実施形態に示す粘着テープを利用した手法では、粘着テープ３０が展示物Ｐに貼りつく可能性があり、これを剥がそうとした際に展示物Ｐが破れることがある。また、粘着テープ３０同士が貼りつくと、粘着テープ３０自体の再使用ができず、その都度新たな粘着テープ３０を貼り直す必要がある。さらに、パネル本体１０を展開・収納するたびに、粘着テープ３０を貼り付けたり、剥がしたりする作業が必要となり、煩わしい作業を伴うものであった。
【００３９】
この点、本実施形態によれば、各パネル面１０ａ，１０ｂ，１０ｃを折り畳むことで一対の面ファスナー３１，３２が結合するので、固定のための別途の作業を要しない。そのため、粘着テープ３０を用いるよりもパネル本体１０の収納状態の固定を容易に行うことができ、展示物Ｐの保護にも優れている。
【００４０】
（第３の実施形態）
図５は、第３の実施形態に係る展示用パネル１の構成を模式的に示す説明図である。第３の実施形態に係る展示用パネル１が第２の実施形態のそれと相違する点は、開口部２０に対する補強構造を採用したことである。なお、第２の実施形態と共通する構成については説明を省略し、以下、相違点を中心に説明を行う。
【００４１】
本実施形態において、開口部２０の周縁領域には、カバー部材２１が装着されている。このカバー部材２１は、例えば所要の形状に樹脂成形されたものであり、開口部２０周囲のパネル本体１０を補強する機能を担っている。このカバー部材２１は、開口部２０の周縁領域の全部に設けることもできるが、その周縁領域の一部に部分的に設けてもよい。
【００４２】
開口部２０にカバー部材２１を設けない場合、展示用パネル１の搬送を繰り返すことで、開口部２０周囲のパネル本体１０が劣化していくことが懸念される。この場合、パネル本体１０が破損し、展示用パネル１の搬送を行うことができなくなってしまう可能性がある。
【００４３】
この点、本実施形態によれば、カバー部材２１により開口部２０周囲のパネル本体１０を補強することができるので、展示用パネル１の搬送を繰り返した場合であっても、開口部２０周囲に生じる劣化を抑制することができる。これにより、展示用パネル１を繰り返し使用することができるので、長期にわたり展示用パネル１を使用することができる。また、カバー部材２１が存することで、開口部２０周囲の用紙エッジから保持者の手を保護することができ、保持する手の疾病防止を図ることができる。
【００４４】
なお、本実施形態に示す手法は、第１の実施形態及び後述する各実施形態についても適用することができる。
【００４５】
（第４の実施形態）
図６は、第４の実施形態に係る展示用パネル１の構成を模式的に示す説明図である。図７は、第５の実施形態に係る展示用パネル１の収納状態を模式的に示す説明図である。第４の実施形態に係る展示用パネル１が第１の実施形態のそれと相違する点は、展示物Ｐに対する機密性を向上させたことである。なお、第１の実施形態と共通する構成については説明を省略し、以下、相違点を中心に説明を行う。
【００４６】
本実施形態において、パネル本体１０の各パネル面１０ａ，１０ｂ，１０ｃには、貫通孔１３ａ,１３ｂ，１３ｃが形成されている。ここで、貫通孔１３ａはパネル面１０ａの左上側の所要の位置に形成されており、貫通孔１３ｂはパネル面１０ｂの右上側の所要の位置に形成されており、貫通孔１３ｃはパネル面１０ｃの中央よりもやや左にずれた上側の所要の位置に形成されている。各貫通孔１３ａ，１３ｂ，１３ｃは、パネル本体１０が折り畳まれた際に互いの位置が対応するように設定されている。
【００４７】
この展示用パネル１によれば、図７に示すように、収納時におけるパネル本体１０が折り畳まれた状態で、貫通孔１３ａ，１３ｂ，１３ｃのそれぞれにロック用の錠４０を挿通させることができる。このロック用の錠４０は、例えば南京錠や、ダイヤル式の錠などを用いることができる。このロック用の錠４０により、パネル本体１０の展開を規制することができるので、展示物Ｐについての機密性を確保することができる。
【００４８】
また、ワイヤーＷを用意し、その両端をそれぞれ環状に形成しておく。そして、一方の環状部にロック用の錠４０を挿通させるとともに、他方の環状部に、例えばオフィスにおけるデスクＤの所要の部位を挿通させる。このようにして、ロック用の錠４０とデスクＤとをワイヤーＷで連結することで、第三者が許可なく展示用パネル１の持ち去ることを防止することができる。これにより、展示物Ｐについての機密性を確保することができる。
【００４９】
なお、本実施形態に示す手法は、第２の実施形態、第３の実施形態及び後述する実施形態についても適用することができる。
【００５０】
（第５の実施形態）
つぎに、第５の実施形態に係る展示用パネル１について説明する。展示用パネル１は、第１から第４の実施形態に示すように、折り目部１１，１２が鉛直方向に沿うようにして、展示用パネル１が水平方向に横長となるように使用することもできれば（横長状態での使用）、図８に示すように、折り目部１１，１２が水平方向に沿うようにして、展示用パネル１が鉛直方向に長手となるように使用することもできる（縦長状態での使用）。しかしながら、後者に示す使用形態の場合、折り目部１２を境に上側に位置するパネル面１０ｃが折れ曲がり、展示用パネル１が倒れたり、あるいは、折り目部１１を境に下側に位置するパネル面１０ａが折れ曲がり、展示用パネル１が床面に沿ってずれ動いたりすることが考えられる。
【００５１】
図９は、第５の実施形態に係る展示用パネル１の要部を模式的に示す説明図である。図１０は、図９に示すレール状のクリップ部材２５の構成を示す斜視図である。本実施形態に係る展示用パネル１は、展開時におけるパネル本体１０の剛性を確保するためにレール状のクリップ部材２５を備えている。このクリップ部材２５は、折り目部１１，１２と直交するようにパネル本体１０の側辺部に装着されている。本実施形態では、左右の各側辺部に、２つの折り目部１１，１２に対応する４つのクリップ部材２５が設けられている。
【００５２】
クリップ部材２５は、互いに略対向配置される一対の平板部２５ａ，２５ｂと、一対の平板部２５ａ，２５ｂの基端側に接続される背面部２５ｃとで構成されており、これらが一体形成されたものである。このクリップ部材２５は、各平板部２５ａ，２５ｂの先端部同士が互いに当接するように、略三角状の断面形状に構成されている。クリップ部材２５は、金属や樹脂等の硬質な材料で形成されており、一対の平板部２５ａ，２５ｂにより確定される空間部の厚みは、パネル本体１０の板厚よりも大きな寸法（例えば１ｍｍ程度大きな寸法）に設定されている。
【００５３】
このクリップ部材２５は、各平板部２５ａ，２５ｂの先端部の間を開くようにしてその間にパネル本体１０の側辺部を挿入させる。これにより、クリップ部材２５の形状復元作用を通じて、一対の平板部２５ａ，２５ｂによりパネル本体１０が厚み方向に沿って両側から挟持される。クリップ部材２５を、折り目部１１，１２と直交するようにパネル本体１０の側辺部に装着することで、折り目部１１，１２に沿ってパネル面１０ａ，１０ｂ，１０ｃが折れ曲がることを規制することができる。
【００５４】
このように本実施形態によれば、クリップ部材２５を備えることで、パネル本体１０の剛性を高めることができるので、展示用パネル１を安定して設置することができる。クリップ部材２５を設けない場合には、パネル本体１０がずれたり倒れたりしないように配慮して展示用パネル１を設置する必要があり、設置作業に多くの工数を要するという不都合があるが、本実施形態によればこのような問題を解消することができる。また、パネル本体１０の剛性が高いことで、壁面等に展示用パネル１を立て掛けて使用することができるので、別途の固定部材などを用いることなく展示用パネル１を簡便に設置することができる。
【００５５】
図１１は、本実施形態に係る展示用パネル１の変形例を示す説明図である。上述した実施形態では、クリップ部材２５は、パネル本体１０と離脱可能に構成されており、パネル本体１０を折り畳む際には、当該パネル本体１０からクリップ部材２５を取り外し、両者を別個に管理する必要がある。また、パネル本体１０を展開してクリップ部材２５を装着する場合には、その都度、クリップ部材２５（各平板部２５ａ，２５ｂの先端部の間）を開くようにしてパネル本体１０に装着する手間が生じる。
【００５６】
そこで、本変形例におけるパネル本体１０には、その側辺部に沿って直線状の溝部１４が形成されている。この溝部１４は、折り目部１１，１２の近傍に設けられている。一方、クリップ部材２５の所要の位置（例えば端部位置）には開口２５ｄが形成されており、結合部材である結束バンド２６にて、溝部１４とクリップ部材２５とが相互に結合されている。
【００５７】
このような構成により、クリップ部材２５は、溝部１４により許容される範囲（後述する収納位置から展開位置の間）において、パネル本体１０の側辺部をスライドすることができる。具体的には、パネル本体１０を収納する場合には、クリップ部材２５は収納位置に設定される。この収納位置は、クリップ部材２５が折り目部１１，１２と干渉しない位置であり（図１１（ａ）参照）、これにより、折り目部１１，１２を利用したパネル本体１０の折り畳みが可能となる。一方、パネル本体１０を展開して利用する場合に、クリップ部材２５をパネル本体１０の側辺部に沿ってスライドさせ、当該クリップ部材２５を展開位置に設置する。この展開位置は、クリップ部材２５と折り目部１１，１２とが交差する位置である（図１１（ｂ）参照）。これにより、各パネル面１０ａ，１０ｂ，１０ｃが折り目部１１，１２で折り曲がることなく、パネル本体１０の剛性を高めることができる。そして、パネル本体１０を収納する場合には、クリップ部材２５を展開位置から収納位置へとスライドさせればよい。
【００５８】
この構成によれば、パネル本体１０とクリップ部材２５とが結合されているため、これらを別個に管理する必要がない。そのため、クリップ部材２５を紛失したり、置き忘れたりすることを抑制することができ、取り扱いが容易となる。また、パネル本体１０の展開収納の際には、クリップ部材２５をスライドさせればよいので、クリップ部材２５の取り付け工数を削減することができる。さらに、クリップ部材２５をスライドさせる際には、当該クリップ部材２５が溝部１４によって案内されながら移動するため、クリップ部材２５がパネル本体１０から逸脱することがなく、その作業を容易に行うことができる。
【００５９】
以上、本発明の実施形態にかかる展示用パネルについて説明したが、本発明は上述した実施形態に限定されることなく、その発明の範囲内において種々の変形が可能であることはいうまでもない。
【符号の説明】
【００６０】
１    展示用パネル
１０    パネル本体
１０ａ，１０ｂ，１０ｃ  パネル面
１１，１２  折り目部
１３ａ，１３ｂ，１３ｃ  貫通孔
１４    溝部
２０    開口部
２１    カバー部材
２５    クリップ部材
２６    結束バンド
３０    粘着テープ
３１，３２  面ファスナー
Ｐ    展示物
Ｗ    ワイヤー
【図１】
2016218336.tif 000003
【図２】
2016218336.tif 000004
【図３】
2016218336.tif 000005
【図４】
2016218336.tif 000006
【図５】
2016218336.tif 000007
【図６】
2016218336.tif 000008
【図７】
2016218336.tif 000009
【図８】
2016218336.tif 000010
【図９】
2016218336.tif 000011
【図１０】
2016218336.tif 000012
【図１１】
2016218336.tif 000013